(57)【要約】【課題】入力用のキーに複数の情報を表示することができる携帯端末装置を提供する。【解決手段】携帯電話１００の制御を行う制御部１０１と、ＧＰＳ信号受信アンテナ１３１で受信したＧＰＳ信号から現在地を検出する検出部１３２と、現在地周辺地図情報の読出しや現在地情報と目的地情報との比較等を行う地図情報処理部１３３と、文字や映像等の表示を行う表示部１０４と、通話用アンテナ１１１で送受信される通話用信号によって、他の携帯電話と通話等を行う通話部１０５と、数字等の入力を行う複数のキーを有する入力部１０６と、キーの背面に対になって設置され、それぞれ独立して発光、消灯を行う複数の発光素子を有する発光部１０７と、発光部１０７の発光制御を行う発光制御部１０８と、発光部１０７の発光パターンや地図情報等を記憶するメモリ部１０９とを備えた構成とする。【選択図】図１８
2005136955.tif 000002
【特許請求の範囲】
【請求項１】
複数のキーを有する入力部と、
前記複数のキーの背面に各キーとそれぞれ対になって配置された発光素子を有する発光部と、
前記複数の発光素子の発光状態をそれぞれ発光制御する発光制御部と、
少なくとも地図情報を記憶するメモリ部と、
ＧＰＳ信号を受信するアンテナと、
受信したＧＰＳ信号から現在地情報を検出する検出部と、
前記検出された現在地情報に基づいて現在地周辺に関する地図情報を前記メモリ部から読出し、かつユーザによってあらかじめ入力された目的地情報と前記現在地情報との比較を行う地図情報処理部と、
少なくとも前記メモリ部から読出された現在地周辺の地図情報を現在地周辺地図として表示する表示部と、
少なくとも前記地図情報処理部において算出された少なくとも目的地に関する情報を表示するために使用するキーを前記複数のキーの中から選択する制御部と、
を備え、
前記発光制御部は、前記選択されたキーと対になった発光素子を発光させることで、前記目的地情報と前記現在地情報との比較に基づく情報を前記入力部に表示することを特徴とする携帯端末装置。
【請求項２】
前記入力部の複数のキーは、マトリクス状に配列されていることを特徴とする請求項１記載の携帯端末装置。
【請求項３】
前記現在地周辺地図は、中央が現在地となるように前記表示部に表示され、
前記制御部は、前記マトリクス状に配列されたキーのうち中央に配置されたキーから見て、前記現在地周辺地図上における現在地から目的地への方向と同方向にあるキーを選択し、前記発光制御部は前記選択されたキーと対になった発光素子を発光させて目的地への方向を前記入力部に表示することを特徴とする請求項２記載の携帯端末装置。
【請求項４】
前記表示部はあらかじめユーザによって設定された表示縮尺に基づいて現在地周辺地図を表示し、
前記現在地周辺地図を拡大表示することで目的地が前記現在地周辺地図上に表示されなくなった場合に、目的地への方向を表示するために選択されたキーと対になった発光素子の発光の形態を変えることを特徴とする請求項３記載の携帯端末装置。
【請求項５】
前記現在地周辺地図を拡大表示することで目的地が前記現在地周辺地図上に表示されなくなった場合に、目的地への方向を表示するために選択されたキーと対になった発光素子を消灯することを特徴とする請求項４記載の携帯端末装置。
【請求項６】
前記発光部は、異なる少なくとも２色の発光色を切り替えて発光可能な発光素子を有し、
前記現在地周辺地図を拡大表示することで目的地が前記現在地周辺地図上に表示されなくなった場合に、目的地への方向を表示するために選択されたキーと対になった発光素子の発光色を切り替えて発光させることを特徴とする請求項４記載の携帯端末装置。
【請求項７】
前記発光制御部は、前記発光素子の発光輝度を少なくとも２段階に切り替えて発光制御し、
前記現在地周辺地図を拡大表示することで目的地が前記現在地周辺地図上に表示されなくなった場合に、目的地への方向を表示するために選択されたキーと対になった発光素子の発光輝度を切り替えて発光させることを特徴とする請求項４記載の携帯端末装置。
【請求項８】
前記地図情報処理部は、前記目的地情報と前記現在地情報との比較によって現在地から目的地までの距離を算出し、
前記算出された距離に基づいて目的地への方向を表示するために選択するキーの数を変化させることを特徴とする請求項２から請求項７のいずれかに記載の携帯端末装置。
【請求項９】
道路交通情報通信システム信号受信アンテナと、
受信した道路交通情報通信システム信号から道路交通情報を検出するための道路交通情報検出部とを備え、
前記入力部は、マトリクス状に配列された複数のキーを有し、
前記地図情報処理部は、前記道路交通情報と前記現在地情報との比較によって渋滞が発生している道路への方向を検出し、
前記制御部は、前記マトリクス状に配列されたキーのうち中央に配置されたキーから見て、前記現在地周辺地図上における現在地から渋滞が発生している道路への方向と同方向にあるキーを選択し、前記発光制御部は前記選択されたキーと対になった発光素子を発光させて前記渋滞が発生している道路への方向を前記入力部に表示することを特徴とする請求項１から請求項８のいずれかに記載の携帯端末装置。
【請求項１０】
前記発光部は、異なる少なくとも２色の発光色を切り替えて発光可能な発光素子を有し、
前記渋滞が発生している道路への方向を表示するために選択されたキーと対になった発光素子を、渋滞の度合いによって発光色を切り替えて発光させることを特徴とする請求項９記載の携帯端末装置。
【請求項１１】
前記発光制御部は、前記発光素子の発光輝度を少なくとも２段階に切り替えて発光制御し、
前記渋滞が発生している道路への方向を表示するために選択されたキーと対になった発光素子を、渋滞の度合いによって発光輝度を切り替えて発光させることを特徴とする請求項９記載の携帯端末装置。
【請求項１２】
受信したＧＰＳ信号から現在地情報を検出するステップと、
目的地情報の入力を受付けるステップと、
前記現在地情報に基づいて現在地周辺に関する地図情報を読出すステップと、
前記目的地情報と前記現在地情報との比較を行うステップと、
前記読出された地図情報を表示するステップと、
前記目的地情報と前記現在地情報との比較に基づき所定のキーを選択するステップと、
前記選択されたキーと対になった発光素子を発光させるステップと、
を備えたことを特徴とする請求項１記載の携帯端末装置の表示方法。
【請求項１３】
請求項３記載の携帯端末装置において、
前記表示された現在地周辺地図上における現在地から目的地への方向を検出するステップと、
前記中央に配置されたキーから見て、現在地から目的地への方向と同方向にあるキーを選択するステップと、
を備えたことを特徴とする請求項１２記載の表示方法。
【請求項１４】
請求項４記載の携帯端末装置において、
現在地周辺地図の表示縮尺に関する入力を受付けるステップと、
前記表示縮尺に基づいて前記現在地周辺地図を表示するステップと、
前記現在地周辺地図上に目的地が表示されているかどうかを判断するステップと、
前記選択されたキーと対になった発光素子の発光を切り替えるステップと、
を備えたことを特徴とする請求項１３記載の表示方法。
【請求項１５】
請求項５記載の携帯端末装置において、
前記現在地周辺地図上に目的地が表示されていないと判断した場合に前記選択されたキーと対になった発光素子を消灯するステップを備えたことを特徴とする請求項１４記載の表示方法。
【請求項１６】
請求項６記載の携帯端末装置において、
前記現在地周辺地図上に目的地が表示されていないと判断した場合に前記選択されたキーと対になった発光素子の発光色を切り替えて発光させるステップを備えたことを特徴とする請求項１４記載の表示方法。
【請求項１７】
請求項７記載の携帯端末装置において、
前記現在地周辺地図上に目的地が表示されていないと判断した場合に前記選択されたキーと対になった発光素子の発光輝度を切り替えて発光させるステップを備えたことを特徴とする請求項１４記載の表示方法。
【請求項１８】
請求項８記載の携帯端末装置において、
前記表示された現在地周辺地図上における現在地から目的地までの距離を算出するステップと、
前記算出された距離に基づき、目的地への方向を示すために選択するキーの数を変化させるステップと、
を備えたことを特徴とする請求項１３から請求項１７のいずれかに記載の表示方法。
【請求項１９】
請求項９記載の携帯端末装置において、
受信した道路交通情報通信システム信号から道路交通情報を検出するステップと、
前記道路交通情報と前記現在地情報との比較によって渋滞が発生している道路への方向を検出するステップと、
前記中央に配置されたキーから見て、現在地から前記渋滞が発生している道路への方向と同方向にあるキーを選択するステップと、
を備えたことを特徴とする請求項１２から請求項１８のいずれかに記載の表示方法。
【請求項２０】
請求項１０記載の携帯端末装置において、
前記渋滞が発生している道路の渋滞の度合いを検出するステップと、
前記渋滞の度合いによって前記渋滞が発生している道路への方向を表示するために選択されたキーと対になった発光素子の発光色を切り替えるステップと、
を備えたことを特徴とする請求項１９記載の表示方法。
【請求項２１】
請求項１１記載の携帯端末装置において、
前記渋滞が発生している道路の渋滞の度合いを検出するステップと、
前記渋滞の度合いによって前記渋滞が発生している道路への方向を表示するために選択されたキーと対になった発光素子の発光輝度を切り替えるステップと、
を備えたことを特徴とする請求項１９記載の表示方法。
【請求項２２】
受信したＧＰＳ信号から現在地情報を検出するステップと、
目的地情報の入力を受付けるステップと、
前記現在地情報に基づいて現在地周辺に関する地図情報を読出すステップと、
前記目的地情報と前記現在地情報との比較を行うステップと、
前記読出された地図情報を表示するステップと、
前記目的地情報と前記現在地情報との比較に基づき所定のキーを選択するステップと、
前記選択されたキーと対になった発光素子を発光させるステップと、
を実行させることを特徴とする請求項１記載の携帯端末装置用プログラム。
【請求項２３】
請求項３記載の携帯端末装置のプログラムであって、
前記表示された現在地周辺地図上における現在地から目的地への方向を検出するステップと、
前記中央に配置されたキーから見て、現在地から目的地への方向と同方向にあるキーを選択するステップと、
を実行させることを特徴とする請求項２２記載の携帯端末装置用プログラム。
【請求項２４】
請求項４記載の携帯端末装置のプログラムであって、
現在地周辺地図の表示縮尺に関する入力を受付けるステップと、
前記表示縮尺に基づいて前記現在地周辺地図を表示するステップと、
前記現在地周辺地図上に目的地が表示されているかどうかを判断するステップと、
前記選択されたキーと対になった発光素子の発光を切り替えるステップと、
を実行させることを特徴とする請求項２３記載の携帯端末装置用プログラム。
【請求項２５】
請求項５記載の携帯端末装置のプログラムであって、
前記現在地周辺地図上に目的地が表示されていないと判断した場合に前記選択されたキーと対になった発光素子を消灯するステップを実行させることを特徴とする請求項２４記載の携帯端末装置用プログラム。
【請求項２６】
請求項６記載の携帯端末装置のプログラムであって、
前記現在地周辺地図上に目的地が表示されていないと判断した場合に前記選択されたキーと対になった発光素子の発光色を切り替えて発光させるステップを実行させることを特徴とする請求項２４記載の携帯端末装置用プログラム。
【請求項２７】
請求項７記載の携帯端末装置のプログラムであって、
前記現在地周辺地図上に目的地が表示されていないと判断した場合に前記選択されたキーと対になった発光素子の発光輝度を切り替えて発光させるステップを実行させることを特徴とする請求項２４記載の携帯端末装置用プログラム。
【請求項２８】
請求項８記載の携帯端末装置のプログラムであって、
前記表示された現在地周辺地図上における現在地から目的地までの距離を算出するステップと、
前記算出された距離に基づき、目的地への方向を示すために選択するキーの数を変化させるステップと、
を実行させることを特徴とする請求項２３から請求項２７のいずれかに記載の携帯端末装置用プログラム。
【請求項２９】
請求項９記載の携帯端末装置のプログラムであって、
受信した道路交通情報通信システム信号から道路交通情報を検出するステップと、
前記道路交通情報と前記現在地情報との比較によって渋滞が発生している道路への方向を検出するステップと、
前記中央に配置されたキーから見て、現在地から前記渋滞が発生している道路への方向と同方向にあるキーを選択するステップと、
を実行させることを特徴とする請求項２２から請求項２８のいずれかに記載の携帯端末装置用プログラム。
【請求項３０】
請求項１０記載の携帯端末装置のプログラムであって、
前記渋滞が発生している道路の渋滞の度合いを検出するステップと、
前記渋滞の度合いによって前記渋滞が発生している道路への方向を表示するために選択されたキーと対になった発光素子の発光色を切り替えるステップと、
を実行させることを特徴とする請求項２９記載の携帯端末装置用プログラム。
【請求項３１】
請求項１１記載の携帯端末装置のプログラムであって、
前記渋滞が発生している道路の渋滞の度合いを検出するステップと、
前記渋滞の度合いによって前記渋滞が発生している道路への方向を表示するために選択されたキーと対になった発光素子の発光輝度を切り替えるステップと、
を実行させることを特徴とする請求項２９記載の携帯端末装置用プログラム。
【発明の詳細な説明】
【技術分野】
【０００１】
本発明は、多機能型携帯電話や携帯型情報端末等の携帯端末装置およびその表示方法ならびにそのプログラムに関する。
【背景技術】
【０００２】
近年、携帯電話に代表される携帯端末が急速に普及してきている。また、これらの携帯端末は、ＬＳＩ等の集積化技術の進歩に伴い様々な機能を一台の携帯端末に集約して、多機能化、高機能化してきている。このように、携帯端末の多機能化、高機能化が進むにつれ、様々な情報を一台の携帯端末で扱えるようになり、ユーザが携帯端末で扱う情報も複雑化すると同時に大量になってきている。そのため、一度により多くの情報を見たいという要望が生まれ、その要望に応えるように、携帯端末の表示画面の大画面化、高精細化がなされ、一度に表示することができる情報量も増えてきている。
【０００３】
一方で、携帯端末の携帯性に関する要望があり、これらの要望に応えるため、高集積化に関する様々な技術が開発され、携帯端末の更なる小型化がなされている。
【０００４】
このように、情報の表示量に関する要望がある一方で携帯性に関する要望もあるため、携帯端末の表示画面の大画面化は、携帯性を損なわない範囲の中で、という制限があり、自ずとその大きさには限界がある。
【０００５】
そこで、携帯端末の本体および表示画面を大きくすることなく情報の表示量を増やすため、携帯端末の入力手段であるテンキーに情報を表示する技術が提案されている（例えば、特許文献１）。
【特許文献１】特開２００２−７７３３３号公報
【発明の開示】
【発明が解決しようとする課題】
【０００６】
携帯端末の多機能化、高機能化はますます進んでおり、また最近では、テレビ受信機能を備えた携帯端末も発売される等、携帯端末が扱う情報はより複雑化してきている。しかしながら、上述した技術では同時に複数の情報を表示できない等、このような複雑化した情報を表示することが難しく、より多彩な表示ができる技術が求められてきている。
【０００７】
本発明は、このような課題に鑑みてなされたものであり、目的地方向等を含む複雑な地図情報をユーザにわかりやすく表示することができる携帯端末装置および表示方法を提供することを目的とする。
【課題を解決するための手段】
【０００８】
このような目的を達成するために、本発明の携帯端末装置は、複数のキーを有する入力部と、複数のキーの背面に各キーとそれぞれ対になって配置された発光素子を有する発光部と、複数の発光素子の発光状態をそれぞれ発光制御する発光制御部と、少なくとも地図情報を記憶するメモリ部と、ＧＰＳ信号を受信するアンテナと、受信したＧＰＳ信号から現在地情報を検出する検出部と、検出された現在地情報に基づいて現在地周辺に関する地図情報を前記メモリ部から読出し、かつユーザによってあらかじめ入力された目的地情報と現在地情報との比較を行う地図情報処理部と、少なくともメモリ部から読出された現在地周辺の地図情報を現在地周辺地図として表示する表示部と、少なくとも地図情報処理部において算出された少なくとも目的地に関する情報を表示するために使用するキーを複数のキーの中から選択する制御部と、を備え、発光制御部は、選択されたキーと対になった発光素子を発光させることで、目的地情報と現在地情報との比較に基づく情報を入力部に表示する構成である。
【０００９】
このような構成によれば、入力部のキーを使って目的地に関する情報を表示することができ、複雑な情報をユーザにわかりやすく表示することができる。
【００１０】
また、入力部の複数のキーは、マトリクス状に配列されている構成であってもよい。このような構成によれば、目的地方向をキーによって示すことで目的地に関する情報を入力部によりわかりやすく表示することができる。
【００１１】
また、入力部は、マトリクス状に配列された複数のキーを有し、現在地周辺地図は、中央が現在地となるように表示部に表示され、制御部は、マトリクス状に配列されたキーのうち中央に配置されたキーから見て、現在地周辺地図上における現在地から目的地への方向と同方向にあるキーを選択し、発光制御部は選択されたキーと対になった発光素子を発光させて目的地への方向を入力部に表示する構成であってもよい。このような構成によれば、中央に配置されたキーを現在地に見立て目的地方向をキーによって示すことができ、目的地に関する情報を入力部にさらにわかりやすく表示することができる。
【００１２】
また、表示部はあらかじめユーザによって設定された表示縮尺に基づいて現在地周辺地図を表示し、現在地周辺地図を拡大表示することで目的地が現在地周辺地図上に表示されなくなった場合に、目的地への方向を表示するために選択されたキーと対になった発光素子の発光の形態を変える構成であってもよい。このような構成によれば、拡大表示によって目的地が現在地周辺地図上に表示されなくなった場合にすぐにわかるので、現在地周辺地図の表示縮尺を決定しやすくすることができる。
【００１３】
また、現在地周辺地図を拡大表示することで目的地が現在地周辺地図上に表示されなくなった場合に、目的地への方向を表示するために選択されたキーと対になった発光素子を消灯する構成であってもよい。このような構成によれば、拡大表示によって目的地が現在地周辺地図上に表示されなくなったことがキーの消灯によって一目でわかるので、現在地周辺地図の表示縮尺をより決定しやすくすることができる。
【００１４】
また、発光部は、異なる少なくとも２色の発光色を切り替えて発光可能な発光素子を有し、現在地周辺地図を拡大表示することで目的地が現在地周辺地図上に表示されなくなった場合に、目的地への方向を表示するために選択されたキーと対になった発光素子の発光色を切り替えて発光させる構成であってもよい。このような構成によれば、拡大表示によって目的地が現在地周辺地図上に表示されなくなったことがキーの発光色の違いによって一目でわかり、なおかつ目的地方向を示すキーの発光は継続しているので、現在地周辺地図の表示縮尺を決定しやすくすることができると同時に、目的地に関する情報を入力部にわかりやすく表示することができる。
【００１５】
また、発光制御部は、発光素子の発光輝度を少なくとも２段階に切り替えて発光制御し、現在地周辺地図を拡大表示することで目的地が現在地周辺地図上に表示されなくなった場合に、目的地への方向を表示するために選択されたキーと対になった発光素子の発光輝度を切り替えて発光させる構成であってもよい。このような構成によれば、拡大表示によって目的地が現在地周辺地図上に表示されなくなったことがキーの発光輝度の違いによって一目でわかり、なおかつ目的地方向を示すキーの発光は継続しているので、現在地周辺地図の表示縮尺が決定しやすくすることができると同時に、目的地に関する情報を入力部にわかりやすく表示することができる。
【００１６】
また、地図情報処理部は、目的地情報と現在地情報との比較によって現在地から目的地までの距離を算出し、算出された距離に基づいて目的地への方向を表示するために選択するキーの数を変化させる構成であってもよい。このような構成によれば、目的地を示すキーの数が現在地から目的地までの距離によって変わるので、目的地への方向と同時に目的地までの大まかな距離を入力部にわかりやすく表示することができる。
【００１７】
また、道路交通情報通信システム信号受信アンテナと、受信した道路交通情報通信システム信号から道路交通情報を検出するための道路交通情報検出部とを備え、入力部は、マトリクス状に配列された複数のキーを有し、地図情報処理部は、道路交通情報と現在地情報との比較によって渋滞が発生している道路への方向を検出し、制御部は、マトリクス状に配列されたキーのうち中央に配置されたキーから見て、現在地周辺地図上における現在地から渋滞が発生している道路への方向と同方向にあるキーを選択し、発光制御部は選択されたキーと対になった発光素子を発光させて渋滞が発生している道路への方向を入力部に表示する構成であってもよい。このような構成によれば、渋滞が発生している道路に関する情報を入力部にわかりやすく表示することができる。
【００１８】
また、発光部は、異なる少なくとも２色の発光色を切り替えて発光可能な発光素子を有し、渋滞が発生している道路への方向を表示するために選択されたキーと対になった発光素子を、渋滞の度合いによって発光色を切り替えて発光させる構成であってもよい。このような構成によれば、渋滞の度合いによって発光色が変わるので、渋滞が発生している道路に関する情報をさらにわかりやすく表示することができる。
【００１９】
また、発光制御部は、発光素子の発光輝度を少なくとも２段階に切り替えて発光制御し、渋滞が発生している道路への方向を表示するために選択されたキーと対になった発光素子を、渋滞の度合いによって発光輝度を切り替えて発光させる構成であってもよい。このような構成によれば、渋滞の度合いによって発光輝度が変わるので、渋滞が発生している道路に関する情報をさらにわかりやすく表示することができる。
【００２０】
次に、本発明の表示方法は、受信したＧＰＳ信号から現在地情報を検出するステップと、目的地情報の入力を受付けるステップと、現在地情報に基づいて現在地周辺に関する地図情報を読出すステップと、目的地情報と現在地情報との比較を行うステップと、読出された地図情報を表示するステップと、目的地情報と現在地情報との比較に基づき所定のキーを選択するステップと、選択されたキーと対になった発光素子を発光させるステップと、を備えた方法である。
【００２１】
このような方法によれば、入力部のキーを使って目的地に関する情報を表示することができ、複雑な情報をユーザにわかりやすく表示することができる。
【００２２】
また、表示された現在地周辺地図上における現在地から目的地への方向を検出するステップと、中央に配置されたキーから見て、現在地から目的地への方向と同方向にあるキーを選択するステップと、を備えた方法であってもよい。このような方法によれば、中央に配置されたキーを現在地に見立て目的地方向をキーによって示すことができ、目的地に関する情報を入力部にさらにわかりやすく表示することができる。
【００２３】
また、現在地周辺地図の表示縮尺に関する入力を受付けるステップと、表示縮尺に基づいて現在地周辺地図を表示するステップと、現在地周辺地図上に目的地が表示されているかどうかを判断するステップと、選択されたキーと対になった発光素子の発光を切り替えるステップと、を備えた方法であってもよい。このような方法によれば、拡大表示によって目的地が現在地周辺地図上に表示されなくなった場合にすぐにわかるので、現在地周辺地図の表示縮尺を決定しやすくすることができる。
【００２４】
また、現在地周辺地図上に目的地が表示されていないと判断した場合に選択されたキーと対になった発光素子を消灯するステップを備えた方法であってもよい。このような方法によれば、拡大表示によって目的地が現在地周辺地図上に表示されなくなったことがキーの消灯によって一目でわかるので、現在地周辺地図の表示縮尺をより決定しやすくすることができる。
【００２５】
また、現在地周辺地図上に目的地が表示されていないと判断した場合に選択されたキーと対になった発光素子の発光色を切り替えて発光させるステップを備えた方法であってもよい。このような方法によれば、拡大表示によって目的地が現在地周辺地図上に表示されなくなったことがキーの発光色の違いによって一目でわかり、なおかつ目的地方向を示すキーの発光は継続しているので、現在地周辺地図の表示縮尺を決定しやすくすることができると同時に、目的地に関する情報を入力部にわかりやすく表示することができる。
【００２６】
また、現在地周辺地図上に目的地が表示されていないと判断した場合に選択されたキーと対になった発光素子の発光輝度を切り替えて発光させるステップを備えた方法であってもよい。このような方法によれば、拡大表示によって目的地が現在地周辺地図上に表示されなくなったことがキーの発光輝度の違いによって一目でわかり、なおかつ目的地方向を示すキーの発光は継続しているので、現在地周辺地図の表示縮尺が決定しやすくすることができると同時に、目的地に関する情報を入力部にわかりやすく表示することができる。
【００２７】
また、表示された現在地周辺地図上における現在地から目的地までの距離を算出するステップと、算出された距離に基づき、目的地への方向を示すために選択するキーの数を変化させるステップと、を備えた方法であってもよい。このような方法によれば、目的地を示すキーの数が現在地から目的地までの距離によって変わるので、目的地への方向と同時に目的地までの大まかな距離を入力部にわかりやすく表示することができる。
【００２８】
また、受信した道路交通情報通信システム信号から道路交通情報を検出するステップと、道路交通情報と現在地情報との比較によって渋滞が発生している道路への方向を検出するステップと、中央に配置されたキーから見て、現在地から渋滞が発生している道路への方向と同方向にあるキーを選択するステップと、を備えた方法であってもよい。このような方法によれば、渋滞が発生している道路に関する情報を入力部にわかりやすく表示することができる。
【００２９】
また、渋滞が発生している道路の渋滞の度合いを検出するステップと、渋滞の度合いによって渋滞が発生している道路への方向を表示するために選択されたキーと対になった発光素子の発光色を切り替えるステップと、を備えた方法であってもよい。このような方法によれば、渋滞の度合いによって発光色が変わるので、渋滞が発生している道路に関する情報をさらにわかりやすく表示することができる。
【００３０】
また、渋滞が発生している道路の渋滞の度合いを検出するステップと、渋滞の度合いによって渋滞が発生している道路への方向を表示するために選択されたキーと対になった発光素子の発光輝度を切り替えるステップと、を備えた方法であってもよい。このような方法によれば、渋滞の度合いによって発光輝度が変わるので、渋滞が発生している道路に関する情報をさらにわかりやすく表示することができる。
【００３１】
次に、本発明のプログラムは、受信したＧＰＳ信号から現在地情報を検出するステップと、目的地情報の入力を受付けるステップと、現在地情報に基づいて現在地周辺に関する地図情報を読出すステップと、目的地情報と現在地情報との比較を行うステップと、読出された地図情報を表示するステップと、目的地情報と現在地情報との比較に基づき所定のキーを選択するステップと、選択されたキーと対になった発光素子を発光させるステップと、を実行させることを特徴としている。
【００３２】
このようなプログラムによれば、入力部のキーを使って目的地に関する情報を表示することができ、複雑な情報をユーザにわかりやすく表示することができる。
【００３３】
また、表示された現在地周辺地図上における現在地から目的地への方向を検出するステップと、中央に配置されたキーから見て、現在地から目的地への方向と同方向にあるキーを選択するステップと、を実行させてもよい。このようなプログラムによれば、中央に配置されたキーを現在地に見立て目的地方向をキーによって示すことができ、目的地に関する情報を入力部にさらにわかりやすく表示することができる。
【００３４】
また、現在地周辺地図の表示縮尺に関する入力を受付けるステップと、表示縮尺に基づいて現在地周辺地図を表示するステップと、現在地周辺地図上に目的地が表示されているかどうかを判断するステップと、選択されたキーと対になった発光素子の発光を切り替えるステップと、を実行させてもよい。このようなプログラムによれば、拡大表示によって目的地が現在地周辺地図上に表示されなくなった場合にすぐにわかるので、現在地周辺地図の表示縮尺を決定しやすくすることができる。
【００３５】
また、現在地周辺地図上に目的地が表示されていないと判断した場合に選択されたキーと対になった発光素子を消灯するステップを実行させてもよい。このようなプログラムによれば、拡大表示によって目的地が現在地周辺地図上に表示されなくなったことがキーの消灯によって一目でわかるので、現在地周辺地図の表示縮尺をより決定しやすくすることができる。
【００３６】
また、現在地周辺地図上に目的地が表示されていないと判断した場合に選択されたキーと対になった発光素子の発光色を切り替えて発光させるステップを実行させてもよい。このようなプログラムによれば、拡大表示によって目的地が現在地周辺地図上に表示されなくなったことがキーの発光色の違いによって一目でわかり、なおかつ目的地方向を示すキーの発光は継続しているので、現在地周辺地図の表示縮尺を決定しやすくすることができると同時に、目的地に関する情報を入力部にわかりやすく表示することができる。
【００３７】
また、現在地周辺地図上に目的地が表示されていないと判断した場合に選択されたキーと対になった発光素子の発光輝度を切り替えて発光させるステップを実行させてもよい。このようなプログラムによれば、拡大表示によって目的地が現在地周辺地図上に表示されなくなったことがキーの発光輝度の違いによって一目でわかり、なおかつ目的地方向を示すキーの発光は継続しているので、現在地周辺地図の表示縮尺が決定しやすくすることができると同時に、目的地に関する情報を入力部にわかりやすく表示することができる。
【００３８】
また、表示された現在地周辺地図上における現在地から目的地までの距離を算出するステップと、算出された距離に基づき、目的地への方向を示すために選択するキーの数を変化させるステップと、を実行させてもよい。このようなプログラムによれば、目的地を示すキーの数が現在地から目的地までの距離によって変わるので、目的地への方向と同時に目的地までの大まかな距離を入力部にわかりやすく表示することができる。
【００３９】
また、受信した道路交通情報通信システム信号から道路交通情報を検出するステップと、道路交通情報と現在地情報との比較によって渋滞が発生している道路への方向を検出するステップと、中央に配置されたキーから見て、現在地から渋滞が発生している道路への方向と同方向にあるキーを選択するステップと、を実行させてもよい。このようなプログラムによれば、渋滞が発生している道路に関する情報を入力部にわかりやすく表示することができる。
【００４０】
また、渋滞が発生している道路の渋滞の度合いを検出するステップと、渋滞の度合いによって渋滞が発生している道路への方向を表示するために選択されたキーと対になった発光素子の発光色を切り替えるステップと、を実行させてもよい。このようなプログラムによれば、渋滞の度合いによって発光色が変わるので、渋滞が発生している道路に関する情報をさらにわかりやすく表示することができる。
【００４１】
また、渋滞が発生している道路の渋滞の度合いを検出するステップと、渋滞の度合いによって渋滞が発生している道路への方向を表示するために選択されたキーと対になった発光素子の発光輝度を切り替えるステップと、を実行させてもよい。このようなプログラムによれば、渋滞の度合いによって発光輝度が変わるので、渋滞が発生している道路に関する情報をさらにわかりやすく表示することができる。
【発明の効果】
【００４２】
本発明の携帯端末装置および表示方法、そのプログラムによれば、入力用のキーを用いて同時に複数の情報を表示することで、より多彩に情報を表示できるので、目的地方向等を含む複雑な地図情報をユーザにわかりやすく表示することができる。
【発明を実施するための最良の形態】
【００４３】
以下、本発明の実施の形態について、図面を参照しながら説明する。
【００４４】
（第１の実施の形態）
図１は本発明の第１の実施の形態におけるデジタルテレビ放送受信機能付き携帯電話の外観を示した図である。図１において、デジタルテレビ放送受信機能付き携帯電話１００（以下、携帯電話１００と略記）は、ＬＣＤやＥＬ等の公知の表示デバイスで構成された表示部１０４、入力部１０６、通話用アンテナ１１１を備えている。
【００４５】
この携帯電話１００の動作の概略をブロック図を用いて説明する。図２は本発明の第１の実施の形態における携帯電話１００のブロック図である。
【００４６】
図２において、制御部１０１は携帯電話１００の全体の制御を行う。受信部１０２はデジタルテレビ放送受信アンテナ１１０において受信したデジタルテレビ放送信号をストリームデータに変換する。復号部１０３は、受信部１０２において変換されたストリームデータを映像信号に復号する。表示部１０４は、制御部１０１からの表示命令により、文字やグラフィックス、または復号部１０３において復号された映像信号等の表示を行う。通話部１０５は、通話用アンテナ１１１において送受信される通話用信号によって、他の携帯電話との通話やメールのやり取り等を行う。入力部１０６は複数のキーによって構成されており、任意のキーの操作により、携帯電話１００への数字、文字等の入力や、携帯電話１００が備える複数の機能の切り替え等を行う。発光部１０７は、入力部１０６の背面に各キーと対になって設置された複数の発光素子によって構成されており、それぞれ独立して発光、消灯を行う。発光制御部１０８は、制御部１０１からの制御によって発光部１０７の各発光素子の発光、消灯を行う。メモリ部１０９は、発光部１０７の発光パターン等のあらかじめ設定された情報や、携帯電話１００の動作時に一時的に記憶する情報、電話番号やデジタルテレビ（以下、テレビと略記する）のチャンネル情報等のユーザが蓄積した情報等を記憶する。
【００４７】
このように、本発明の第１の実施の形態においては、携帯電話１００はテレビ受信機能や通話機能等を備えた構成であり、また、入力部１０６の各キーと対になって配置された複数の発光素子を備え、それぞれを独立して発光制御することができる。
【００４８】
次に、入力部１０６とその周辺部の動作について詳しく説明する。図３は本発明の第１の実施の形態における携帯電話１００が備える入力部１０６とその周辺部を示すブロック図である。
【００４９】
入力部１０６は、「０」から「９」までの数字を表示したテンキーと「＊」、「＃」等の記号を表示したキーの合計１５個のキーを備えており、これらのキーが、縦方向に５行、横方向に３列のマトリクス状に配置されている。また、これらのキーは透光性の素材によって形成されており、キーの背面から投射された光をキーの前面側へと透過する。また、それぞれのキーは、押下等の操作がなされることによって電気信号を発生するように構成されている。
【００５０】
また、制御部１０１は入力受付部１２１、情報検出部１２２、主制御部１２３を備えており、入力受付部１２１は、操作されたキーが発生した電気信号により、操作されたキーの入力受付を行う。そして、操作されたキーの種類や操作回数を主制御部１２３に伝える。主制御部１２３は、操作されたキーの種類や操作回数および携帯電話１００の現在の動作状態に応じて次の動作を決定し、その動作を実行するための制御を各部に対して行う。情報検出部１２２は、受信した信号に含まれる情報や携帯電話１００の動作に依存して変化する情報を検出する。
【００５１】
このように、入力部１０６の任意のキーがユーザによって操作されることで、携帯電話１００へ数字または文字等が入力され、また、任意の機能が選択または実行される。また、情報検出部１２２で検出された情報の表示要求や、検出された情報が複数であれば任意の情報の選択等が行われ、これら情報の選択や表示要求に基づいて、制御部１０１から発光制御部１０８へ発光制御命令が出力される。なお、本発明の第１の実施の形態では、情報の中に数字を含むもの、または数字によって表すことができる情報を表示要求の対象とし、情報に含まれる数字、または情報を表す数字を表示の対象とする。例えば、この情報として、テレビ受信機能におけるチャンネル情報や視聴時間等、あるいは通話機能における通話時間等がある。
【００５２】
発光制御部１０８は、制御部１０１からの発光制御命令に基づき、発光部１０７の各発光素子をそれぞれ独立して制御して各発光素子の発光、消灯を行う。このとき、実行中の機能および表示要求された情報の種類等に応じてメモリ部１０９から発光部１０７の発光パターンを読み出し、読み出した発光パターンに基づいて各発光素子の発光、消灯の制御を行う。
【００５３】
発光部１０７は入力部１０６のキーと同数の発光素子を備えており、各発光素子は各キーの背面にそれぞれ対になって設置されている。それぞれの発光素子は独立して発光、消灯の制御が可能であり、同時に複数の発光素子が発光することも可能である。そして、発光によって透光性のキーを背面から照射することで、キーを発光させる。なお、第１の実施の形態においては、発光素子はＬＥＤやＥＬ等の公知のものでかまわない。
【００５４】
本実施の形態では、このように入力部１０６とその周辺部を構成し、例えば、現在視聴中のテレビのチャンネル番号が「４」であれば、表面に「４」を表示したキーと対になった発光素子を発光させて、「４」のキーを発光させる。こうして、現在受信中のチャンネル番号が「４」であることを入力部１０６に表示する。
【００５５】
本実施の形態では、上述したように、情報検出部１２２において検出された情報に含まれる数字とテンキーとを関連付け、表示すべき数字を表示したキーを発光させることで入力部１０６にその数字を表示する。
【００５６】
次に、情報の検出から表示までの基本的な動作を説明する。図４は、第１の実施の形態における基本的な動作を示すフローチャートである。
【００５７】
まず、ステップＳ４０１において、ユーザが操作したキーに応じて機能の選択がなされる。ここで、携帯電話１００は、通話機能、メール送受信機能、インターネット接続機能等の携帯電話として一般的な機能に加えてテレビ受信機能を備えており、ステップＳ４０１ではこれらの機能の中から任意の一つを選択する。
【００５８】
次に、ステップＳ４０２において、制御部１０１は受信部１０２、復号部１０３、表示部１０４、メモリ部１０９等を制御し、選択された機能を実行すると同時に、選択された機能に基づいた文字やグラフィック等の表示情報をメモリ部１０９から読み出し、表示部１０４に表示する。
【００５９】
次に、ステップＳ４０３において、情報検出部１２２は、受信した信号に含まれる情報や携帯電話１００の動作に依存して変化する情報を検出する。この情報の検出は、メモリ部１０９に記憶された情報を読み出すことによって行う。
【００６０】
次に、ステップＳ４０４において、情報の選択や情報の表示要求をユーザから受付けるための制御命令が主制御部１２３から出され、ユーザによって操作されたキーが入力受付部１２１によって入力受付され、情報の選択および情報の表示要求が受付けられる。
【００６１】
次に、ステップＳ４０５において、主制御部１２３は、表示要求があった情報に含まれた数字に対応した数字が表示されたキーを入力部１０６から選択し、そのキーを選択的に発光させるための発光パターンをメモリ部１０９より読み出す。
【００６２】
次に、ステップＳ４０６において、主制御部１２３は、メモリ部１０９から読み出した発光パターンに基づいて、発光制御部１０８に制御命令を出力する。
【００６３】
次に、ステップＳ４０７において、発光制御部１０８は、主制御部１２３からの制御命令に基づき発光部１０７を発光制御して、メモリ部１０９から読み出した発光パターンで各発光素子をそれぞれ発光または消灯する。
【００６４】
以上が、本発明の第１の実施の形態における、検出した情報をキーに表示するまでの基本的な動作を示すフローチャートである。
【００６５】
次に、情報の中に数字を含むものの表示に関する一例を、テレビ受信時におけるチャンネル番号の表示を例として説明する。図５は、テレビ受信時にチャンネル番号を入力部１０６に表示する動作を示すフローチャートである。
【００６６】
まず、ステップＳ５０１において、テレビ受信機能の選択または任意の放送局を選局するためのキーがユーザによって操作されると、テレビ受信機能の選択要求または放送局の選局要求が受付けられる。このとき、選局要求されたチャンネル番号はメモリ部１０９に記憶される。
【００６７】
次に、ステップＳ５０２において、制御部１０１は、受信部１０２へはテレビ放送信号の受信に関する制御命令を、復号部１０３へは受信した信号を映像信号へ復号するための制御命令を、表示部１０４へは映像信号を表示するための制御命令をそれぞれ出力し、テレビ信号の受信およびテレビ映像の表示を行う。
【００６８】
次に、ステップＳ５０３において、主制御部１２３は、現在受信中のチャンネル番号をメモリ部１０９から読み出す。
【００６９】
次に、ステップＳ５０４において、主制御部１２３は、メモリ部１０９から読み出されたチャンネル番号の中から所定の位の数字を取り出す。
【００７０】
次に、ステップＳ５０５において、主制御部１２３は、ステップＳ５０４にて取り出した数字に対応する数字を表示したキーを入力部１０６から選択し、そのキーを発光させるための発光パターンをメモリ部１０９から読み出す。例えば、その数字が「７」であれば、テンキーの中の「７」を表示したキーを選択的に発光させるために、「７」を表示したキーと対になった発光素子のみを発光するような発光パターンを読み出す。
【００７１】
次に、ステップＳ５０６において、主制御部１２３は、メモリ部１０９より読み出した発光パターンに応じて発光制御部１０８に発光命令を出力する。
【００７２】
次に、ステップＳ５０７において、発光制御部１０８は、主制御部１２３からの制御命令に基づき発光部１０７を発光制御して、メモリ部１０９から読み出した発光パターンで各発光素子をそれぞれ発光または消灯する。こうして、発光部１０７は、メモリ部１０９から読み出された発光パターンで発光する。
【００７３】
次に、ステップＳ５０８において、主制御部１２３は、ユーザから新たな選局要求がなされたかどうかを確認する。新たな選局要求がある場合は、一連の処理を終了し、開始に戻って新たな処理を始める。新たな選局要求がない場合は、ステップＳ５０９に進む。
【００７４】
次に、ステップＳ５０９において、表示中の数字がチャンネル番号の一の位かどうかを判断する。一の位であると判断した場合は、ステップＳ５０３に戻り最大の位からの表示を行う。このとき、全てのキーを消灯あるいは発光する等して、表示の区切りを示してもよい。一の位ではないと判断した場合は、ステップＳ５１０に進む。
【００７５】
次に、ステップＳ５１０において、次に表示する数字を現在表示中の位から一つ下げた位とし、一定の待ち時間後、ステップＳ５０４に戻る。このようにして、例えばチャンネル番号が「１５７」であれば、百の位を示す「１」のキー、十の位を示す「５」のキー、一の位を示す「７」のキーを一定の時間をおいて順に発光させ、受信中のチャンネル番号が１５７であることを入力部１０６を用いて表示する。また、チャンネル番号が１桁であれば、そのチャンネル番号を継続して表示してもよい。そして、新たな選局要求によってチャンネル番号が変わるまで、上述した処理を繰り返す。
【００７６】
このように、テレビ受信時のチャンネル番号表示の例では、受信中のチャンネル番号に相当する数字が表示されたキーが発光しているので、どのチャンネルを受信中であるのかが一目でわかるようになる。
【００７７】
以上説明したように、第１の実施の形態によれば、情報検出部が検出した情報に含まれる数字または情報を表す数字に対応する数字を表示したキーを入力部から選択し、そのキーを選択的に発光することで入力部にその数字を表示するので、携帯電話の本体および表示部を大きくすることなく情報の表示量を増やすことができる。
【００７８】
なお、第１の実施の形態では、複数桁の数値を上位桁から順に表示する例を示したが、これは一実施の形態に過ぎず、例えば、「１２」を表示するために、「１」のキーと「２」のキーを同時に発光させる等、数字に含まれる全てのキーを同時に発光して表示するようにしてもよい。また、この表示では、例えば、「１２２」のように異なる位に同じ数字がある場合、「１」のキーは発光を継続し、「２」のキーは発光と消灯を繰り返す等、重なった数字に該当するキーのみ発光、消灯を繰り返して、数字が重なっていることを表示してもよい。
【００７９】
また、本実施の形態においては、入力部１０６のうち入力受付可能なキーのみを発光させるように構成してもよい。図６は、入力部１０６の表示の一例を示した図である。図６では、テレビ受信機能を選択した時点において、「１」、「２」、「３」、「５」、「８」、「９」のキーに割り当てられたチャンネルのみが受信可能であることを、それらのキーのみを発光させることで示している。ユーザはチャンネルを切り替える際、発光しているキーのいずれかを操作するだけで受信可能なチャンネルを視聴することができ、むやみにキーを操作して受信可能なチャンネルを探す必要がなくなり、手間を省くことができる。このように、テレビ受信機能を選択した時点で、受信可能なチャンネル番号に相当するキーのみを発光すれば、ユーザはどのチャンネルが受信可能なチャンネルかを一目で知ることができ、チャンネル選択時におけるユーザの負荷を軽減することができる。また、発光していないキーの入力を受付けないように構成してもよい。こうすることで、例えば、発光していないキーを誤って操作しても、キーの入力が受付けられないので、受信できないチャンネルに替わってしまうようなことがなくなり、さらにユーザの負荷を軽減することができる。この構成は、テレビ受信機能におけるチャンネルの表示に限らず、例えば、音楽の再生機能を備えている場合に選択可能な曲番号を表示する等、複数の選択対象を同時に表示するような場合に適用することができる。
【００８０】
（第２の実施の形態）
次に、図７から図１０を用いて、本発明の第２の実施の形態について説明する。
【００８１】
本第２の実施の形態が第１の実施の形態と異なる点は、発光部１０７の発光素子をそれぞれ独立して複数の発光色で発光できるように構成した点である。それ以外は第１の実施の形態に示した例と同様の構成であり、同様の動作を行う。
【００８２】
ここでは、第１の実施の形態と同様、テレビ受信機能付き携帯電話においてテレビ受信を行う場合の表示を例にして説明を行う。
【００８３】
図７（ａ）は本第２の実施の形態における携帯電話１００を示した図であり、図７（ｂ）は各キーに割り当てられたチャンネルの電波状態および各キーの発光色をまとめた図である。本第２の実施の形態では、各キーと対をなす発光部１０７を、それぞれ、緑、黄、赤の３色を切り替えて発光可能な発光素子で構成している。したがって、発光部１０７は発光状態として、３色の発光色での発光に消灯を加えた４つの状態を有することになる。そこで、電波状態によるグループ分けを行うために、電波状態が良好の３から不良の０までの４つのグループをつくり、各チャンネルの電波状態に応じてそれぞれ４つのグループのいずれかに割り振る。
【００８４】
図７（ｂ）では、「１」、「２」、「８」のキーに割り当てられたチャンネルを電波状態３のグループに、「５」、「９」のキーに割り当てられたチャンネルを電波状態２のグループに、「３」のキーに割り当てられたチャンネルを電波状態１のグループに、「６」のキーに割り当てられたチャンネルを電波状態０のグループにそれぞれ割り振っている。なお、「――」は、元々のチャンネル設定がないことを示す。
【００８５】
そして、チャンネル番号をキーに表示する場合に、グループによって発光色を変えてキーを発光するように構成する。すなわち、電波状態３のグループである「１」、「２」、「８」のキーを緑色で、電波状態２のグループである「５」、「９」のキーを黄色で、電波状態１のグループである「３」のキーを赤色でそれぞれ発光させる。また、電波状態０およびチャンネル設定がないキーは消灯する。このように、チャンネル番号をキーに表示する場合では、発光部１０７の発光色に基づいてグループ数を決め、電波状態に基づいて各チャンネルをそれぞれグループ分けし、グループによって発光色を変える構成とすることで、ユーザはどのチャンネルが良好な電波状態で受信可能なチャンネルかを一目で知ることができるようになる。
【００８６】
図８は、図７に示した携帯電話１００のブロック図であり、図２に示したブロック図に、さらにスキャン部１１２を加えた構成となっている。図８において、スキャン部１１２は、主制御部１２３からの命令により、受信部１０２および復号部１０３を制御して受信チャンネルを順次切り替え、各チャンネルの電波状態を検出すると同時に入力部１０６の各キーにチャンネルを割り振り、それらの情報をメモリ部１０９に記憶する（以下、この一連の処理をスキャンと呼ぶ）。
【００８７】
このスキャン動作について説明する。図９は、スキャン動作を示すフローチャートである。図９に示すように、まず、ステップＳ９０１において、ユーザからのスキャン要求により、主制御部１２３からスキャン部１１２にスキャン動作の命令が出力される。
【００８８】
次に、ステップＳ９０２において、スキャン部１１２は受信部１０２および復号部１０３を制御し、最初のチャンネルの選局動作を行う。
【００８９】
次に、ステップＳ９０３において、主制御部１２３は、受信部１０２より受信チャンネルの電波状態に関する情報を取得し、この電波状態によって受信チャンネルを所定のグループに割り振る。この動作については後述する。
【００９０】
次に、ステップＳ９０４において、主制御部１２３は、受信チャンネルと受信チャンネルが割り振られたグループをメモリ部１０９に記憶する。
【００９１】
次に、ステップＳ９０５において、現在受信中のチャンネルが選局範囲における最後のチャンネルであるかどうかを判断する。ここで、最後のチャンネルではないと判断した場合、ステップＳ９０６に進む。
【００９２】
次に、ステップＳ９０６において、スキャン部１１２は受信部１０２および復号部１０３を制御し、次のチャンネルを選局して、ステップＳ９０３に戻る。
【００９３】
ステップＳ９０５にて、現在選局中のチャンネルが最後のチャンネルであると判断した場合には、処理を終了する。
【００９４】
以上が本第２の実施の形態におけるスキャン動作の説明である。
【００９５】
次に、受信チャンネルの電波状態に基づいて発光部１０７を発光制御する動作について説明する。図１０は、本第２の実施の形態における受信チャンネルの電波状態の検出および発光部１０７を発光制御する動作を示すフローチャートである。
【００９６】
図１０に示すように、まず、ステップＳ１００１において、主制御部１２３からの命令によりスキャン部１１２が受信部１０２および復号部１０３を制御して、テレビ放送信号を受信し、受信チャンネルにおける電波状態を検出する。そして、検出した電波状態に基づき、受信チャンネルを電波状態が良好の３から不良の０までの４つのグループのいずれかに割り振る。
【００９７】
次に、ステップＳ１００２において、情報検出部１２２は、受信チャンネルが割り振られたグループが電波状態１以上のグループかどうかの確認を行う。ここで、電波状態１以上と判断した場合は、ステップＳ１００３に進む。
【００９８】
次に、ステップＳ１００３において、主制御部１２３は、受信チャンネルのチャンネル番号および受信チャンネルが割り振られたグループに基づいてメモリ部１０９より発光パターンを読み出す。
【００９９】
次に、ステップＳ１００４において、主制御部１２３は、読み出した発光パターンに基づいて、発光制御部１０８に制御命令を出力する。
【０１００】
次に、ステップＳ１００５において、発光部１０７は、発光制御部１０８からの制御命令に基づき発光部１０７の発光素子をそれぞれ発光または消灯して、発光部１０７をメモリ部１０９から読み出した発光パターンで発光して処理を終了する。
【０１０１】
ステップＳ１００２において電波状態が０と判断された場合はフローを終了する。
【０１０２】
このように、本第２の実施の形態によれば、例えば、発光部１０７の発光色に基づいてグループ数を決め、スキャン動作によって各チャンネルの電波状態を検出し、各チャンネルをそれぞれ電波状態に基づいてグループ分けし、複数のチャンネル番号をグループによって発光色を変えて同時にキーに表示する構成とすることで、ユーザはどのチャンネルが良好な電波状態で受信可能なチャンネルかを一目で知ることができるようになり、チャンネルを切り替える際、電波状態の良好なチャンネルのみを簡単に選択することができるようになる。特に、本実施の形態に示したテレビ受信機能付き携帯電話のような場合は、ユーザの移動によって電波状態が変化するので、このような構成とすることで、移動の度毎にユーザが全部のチャンネルを切り替えて電波状態が良好なチャンネルを探すといった手間が省け、ユーザの負担を軽くすることができる。
【０１０３】
なお、本実施の形態では、受信チャンネルの電波状態によって発光色を変えてチャンネル番号をキーに表示する例を示したが、これ以外にも、例えば、テレビ放送で信号中に付加されているジャンル識別コードを情報検出部１２２で判別し、主制御部１２３に判別出力を与え、発光制御部１０８を制御する等して番組のジャンルによって発光色を分け、どのチャンネルでどのジャンルの放送を行っているかを一目でわかるように表示する、またテレビ受信に限らず、バッテリーやメモリカードの残量を数字で表し、残量が十分か否かで発光色を変える、通話時間を数字で表し時間の長さによって発光色を変える等、入力部１０６に表示する数字を複数のグループに割り振りできるような場合には、同様の効果を得ることができる。
【０１０４】
また、複数桁の数字を入力部１０６に発光表示する場合に位によって発光色を変えるように構成してもよい。また、異なる位に同じ数字が重なっている場合には、重なった数字のキーを一定時間毎に発光色を切り替え発光し、数字が重なっていることがわかるように表示する構成としてもよい。
【０１０５】
また、発光色の代わりに発光輝度を変えて表示する構成としても同様の効果を得ることができる。例えば、発光輝度を強、中、弱の３段階に切り替え構成であれば、上述した３色の発光色で発光を切り替える構成と同様に構成することができる。また、発光色の代わりに発光のパターンを変えて表示する構成としても同様の効果が得られる。例えば、発光パターンを、継続発光と、発光と消灯の時間比を２：１とした発光パターンＡと、発光と消灯の時間比を１：２とした発光パターンＢの３通りとすれば、上述した３色の発光色で発光を切り替える構成と同様に構成することができる。
【０１０６】
（第３の実施の形態）
次に、図１１から図１５を用いて、本発明の第３の実施の形態について説明する。
【０１０７】
本第３の実施の形態が第１の実施の形態と異なる点は、入力部１０６を構成するマトリクス状に配置されたキーの配置位置に基づき、キーの組み合わせが数字または文字または記号等のキャラクタの形状に模した形となるように複数のキーを選択し、それらのキーを発光させることでそのキャラクタを入力部１０６に表示するように構成した点である。このように、本第３の実施の形態は、第１の実施の形態と表示の形態が異なるだけであり、それ以外のブロック構成やフローチャート等は、第１の実施の形態と同様である。
【０１０８】
図１１は本第３の実施の形態における携帯電話１００を示した図である。図１１では、入力部１０６に数字の５を表示した例を示している。このように、本第３の実施の形態では、情報に含まれるキャラクタを、そのキャラクタの形状に模した形となるように複数のキーを組み合わせて発光することで、そのキャラクタを入力部１０６に大きく表示する構成としている。
【０１０９】
図１２は、「０」から「９」までの数字、および「＊」、「＃」の記号を入力部１０６に表示した例を示した図である。図１２に示すように、入力部１０６は、縦方向に５行、横方向に３列のマトリクス状にキーを配置しているので、発光させるキーの組み合わせによって、数字や記号等をその形状を模して大きく表示することができる。
【０１１０】
表示する記号としては、上述した以外に、例えばＭＰ３やＭＰＥＧ等のデータ再生機能を備えている場合は、データ再生の状態を示す記号であってもよい。図１３は、入力部１０６にデータ再生の状態を示す記号を表示した例を示した図である。例えば、図１３（ａ）はデータの標準再生を、図１３（ｂ）はデータの早送り再生を、図１３（ｃ）はデータの巻き戻しを、図１３（ｄ）はデータの一時停止を表している。
【０１１１】
また、上述した以外に、例えば情報検出部１２２において検出された情報の中に「緊急」に関する情報が含まれている場合、ユーザに「緊急」の情報を受信したことをユーザに知らせるための記号を表示するように構成してもよい。例えば、緊急のメールを受信した場合、あるいは、テレビ放送またはラジオ放送で緊急放送が開始された場合に、「緊急」のメールまたは放送信号を受信したことを、ユーザに知らせるための、「緊急」を表す記号を表示する。この場合、「緊急」という特定の条件に基づく記号であるので、通常の表示とは異なる、目立ちやすい表示であることが望ましい。図１４は、「緊急」を表す記号の例を示した図である。図１４（ａ）に示した記号は、通常、強調や注意を促したい場合によく使用されるエクスプラメーションマークを模した記号であり、また、図１４（ｂ）、図１４（ｃ）は、さらに目立つように、最初のパターンとそれを反転したパターンとを繰り返し表示した例である。このように、通常の表示とは異なる、目立ちやすい表示にして、「緊急」であることを示すように構成してもよい。あるいは、「緊急」以外であっても、バッテリーやメモリカード等の残量が少ない、通話時間が一定の時間を超えた、設定した時刻になった、等の場合に上記したような目立ちやすい記号を表示して、ユーザに注意を促すように構成してもよい。
【０１１２】
また、本実施の形態においては、入力部１０６の有するキーが５行３列のマトリクス状に配置されているので、ローマ字を表示することも可能である。図１５は、入力部１０６に「Ａ」から「Ｆ」までのローマ字を表示した例を示した図である。このように、少なくとも５行３列に配置されたキーによって入力部１０６を構成すれば、ローマ字の表示が可能である。したがって、情報検出部１２２が検出した情報をローマ字によって表示することが可能となる。
【０１１３】
また、入力部１０６を構成するキーの数が多ければ、ひらがなや漢字等の複雑な文字の表示も可能となる。例えば、少なくとも６行５列にキーが配置してあれば、ひらがな、またはカタカナの表示が可能である。また、少なくとも９行９列にキーが配置してあれば、漢字の表示も可能である。
【０１１４】
以上説明したように、本第３の実施の形態によれば、入力部１０６を構成するマトリクス状に配置されたキーの配置位置に基づき、キーの組み合わせが数字または文字または記号等のキャラクタの形状に模した形となるように複数のキーを選択し、それらのキーを発光させることでそのキャラクタを入力部１０６に表示することができ、ユーザにより見やすく表示することが可能となるばかりでなく、さらに第１の実施の形態および第２の実施の形態で示したような数字の表示に加えて、文字や記号の表示が可能となり、より多くの情報を表示することが可能となる。また、異なる発光色や発光輝度との組み合わせにより、より多くの情報を表示できることは第２の実施の形態で述べたとおりである。
【０１１５】
なお、入力部１０６に表示する記号は上述した記号に限定するものではなく、本第３の実施の形態に示した効果が得られる範囲で適用される。
【０１１６】
また、複数の文字を表示する際には、一定の時間毎に表示する文字を切り替える、あるいは、スクロールして表示する等してもよい。
【０１１７】
（第４の実施の形態）
次に、図１６、図１７を用いて、本発明の第４の実施の形態について説明する。
【０１１８】
本第４の実施の形態が第１の実施の形態と異なる点は、入力部１０６を構成するキーが複数であることを利用し、表示の対象とする情報または情報に含まれる数字が表す量と発光させるキーの数とを関連付け、情報または情報に含まれる数字が表す量の大きさで発光させるキーの数を決定し、情報を入力部１０６にバーグラフ状に表示するように構成した点である。このように、バーグラフ状に情報を表示する構成とすることで、表示されている情報が表す量がどれくらいの量なのかをユーザに直感的にわかりやすく表示することが可能となる。
【０１１９】
図１６は本第４の実施の形態における携帯電話１００を示した図である。図１６では、表示の対象である情報を入力部１０６にバーグラフ状に表示した例を示している。このように、本第４の実施の形態は、第１の実施の形態と表示の形態が異なるだけであり、それ以外のブロック構成やフローチャート等は、第１の実施の形態と同様である。
【０１２０】
図１７は、さらに具体的な表示の例を示した図である。図１７（ａ）は、左から順に、表示の対象である情報が表す量が小、中、大の場合を示している。図１７（ａ）では、入力部１０６のキーが５行３列のマトリクス状に配置されていることを利用し、下から順に１行ずつキーを発光してバーグラフ状に表示するように構成しているので、全消灯を含めて６段階でのバーグラフ表示が可能である。また、図１７（ｂ）では、図１７（ａ）と同様に、左から順に、表示の対象である情報が表す量が小、中、大の場合を示している。また、入力部１０６の１５個のキーを有していることを利用し、左から順に１個ずつキーを発光してバーグラフ状に表示するように構成しているので、全消灯を含めて１６段階でのバーグラフ表示が可能である。
【０１２１】
このように、本第４の実施の形態では、表示の対象とする情報が表す量によって発光させるキーの数を決定し、バーグラフ表示する構成とすることで、例えば、バッテリーの残量や、テレビ受信時の電波状態等、表示されている情報が表す量を一目で把握することができるようになる。
【０１２２】
なお、本第４の実施の形態では、情報が表す量または情報に含まれる数字が表す量を表示の対象としているので、第１の実施の形態や第２の実施の形態で示したような数字によって表示可能な情報であれば、表示することが可能であるが、特に、バッテリーやメモリカード等の残量、音量、電波状態等、概算表示でもかまわないような情報が表示対象としては好適である。
【０１２３】
以上説明したように、本第４の実施の形態によれば、入力部１０６を構成するキーが複数であることを利用し、表示の対象とする情報または情報に含まれる数字が表す量で発光させるキーの数を決定し、入力部１０６にバーグラフ状に表示するように構成することで、情報が表す量がどれくらいの量なのかをユーザに直感的にわかりやすく表示することが可能となる。また、異なる発光色や発光輝度との組み合わせにより、より多くの情報を表示できることは第２の実施の形態で述べたとおりである。
【０１２４】
（第５の実施の形態）
次に、図１８から図２０を用いて、本発明の第５の実施の形態について説明する。
【０１２５】
図１８は、本発明の第５の実施の形態における携帯電話１００のブロック図であり、図２に示したブロック図に、ＧＰＳ信号受信アンテナ１３１、検出部１３２、地図情報処理部１３３を加えた構成としている。図１８において、ＧＰＳ信号受信アンテナ１３１はＧＰＳ（Ｇｌｏｂａｌ  Ｐｏｓｉｔｉｏｎｉｎｇ  Ｓｙｓｔｅｍ）信号を受信し、検出部１３２は受信したＧＰＳ信号から現在地の緯度および経度情報を検出する。地図情報処理部１３３は、検出された現在地情報等に基づきメモリ部１０９から現在地の周辺地図情報を読出し、表示部１０４への現在地周辺地図の表示や、または目的地までの距離の算出等を行う。また、これ以外は第１の実施の形態に示した例と同様の構成であり、同様の動作を行う。
【０１２６】
図１８に示すように、本発明の第５の実施の形態において、携帯電話１００はＧＰＳ信号を利用した現在地検出機能を備えた構成であり、現在地からユーザの希望する目的地までの道案内（以下、ナビゲーションと略記する）をする機能を有している。
【０１２７】
次に、図１９を用いて、このナビゲーションの動作について説明する。図１９は、本発明の第５の実施の形態における携帯電話１００のナビゲーションの動作を示すフローチャートである。
【０１２８】
まず、ステップＳ１９０１において、検出部１３２はＧＰＳ信号受信アンテナ１３１で受信したＧＰＳ信号から現在地の緯度および経度等を現在地情報として検出する。
【０１２９】
次に、ステップＳ１９０２において、地図情報処理部１３３は、検出された現在地情報に基づいてメモリ部１０９から地図情報を読出し、表示部１０４に現在地周辺地図として表示する。このとき、表示部１０４には、表示部１０４の中央付近が現在地となるように現在地周辺地図を表示する。また、ユーザが現在地周辺地図の縮尺を任意に設定できるように構成してもよく、その場合は、設定された縮尺に基づいて現在地周辺地図を表示する。なお、地図情報はあらかじめメモリ部１０９に記憶させておく構成でもよく、あるいは携帯電話１００が備える通信機能および一般に行われている地図情報提供サービス等を利用し、現在地情報を送信して地図情報を受信する構成であってもよい。
【０１３０】
次に、ステップＳ１９０３において、ユーザが入力部１０６の任意のキーを操作して目的地を入力する。入力された目的地情報は一旦メモリ部１０９に記憶される。
【０１３１】
次に、ステップＳ１９０４において、地図情報処理部１３３は、メモリ部１０９に記憶された目的地情報と検出部１３２において検出された現在地情報との比較を行う。ここで現在地と目的地が等しいと判断された場合は処理を終了する。現在地は目的地ではないと判断された場合は次のステップに進む。
【０１３２】
次に、ステップＳ１９０５において、地図情報処理部１３３は、現在地情報および目的地情報の比較を行い、現在地から目的地までの方向および距離を算出する。
【０１３３】
次に、ステップＳ１９０６において、主制御部１２３は、ステップＳ１９０５において算出された現在地から目的地までの方向および距離に基づいて、発光させるキーを入力部１０６から選択し、そのキーを選択的に発光させるための発光パターンをメモリ部１０９より読み出す。
【０１３４】
次に、ステップＳ１９０７において、主制御部１２３は、メモリ部１０９から読み出した発光パターンに基づいて、発光制御部１０８に制御命令を出力する。
【０１３５】
次に、ステップＳ１９０８において、発光制御部１０８は、主制御部１２３からの制御命令に基づきメモリ部１０９から読み出した発光パターンで発光部１０７の発光素子をそれぞれ発光または消灯する。
【０１３６】
この後再びステップＳ１９０１に戻って現在地の検出を行う。なお、ステップＳ１９０３において一旦入力された目的地は、新しい目的地が入力されるか、または上述した一連の処理が終了するまでは保持される。そして、現在地が目的地と等しいと判断されるか、またはユーザから強制終了されるまで、一連の処理を繰り返し行う。
【０１３７】
以上が、本発明の第５の実施の形態における、ナビゲーションの動作を示すフローチャートである。
【０１３８】
図２０は、本発明の第５の実施の形態における携帯電話１００の入力部１０６に目的地方向を表示した例を示した図である。図２０では、表示部１０４に、表示部１０４の中央付近を現在地とした現在地周辺地図を表示している。そして、ユーザがあらかじめ入力した目的地は表示部１０４の左方向にある。また、入力部１０６の５行３列に配列したキーの中央には「５」のキーが配置されている。したがって、「５」のキーを現在地に見立て、表示部１０４に表示された地図上での現在地から目的地への進行方向が左方向であるので、「５」のキーの左に位置する「４」のキーを発光させている。
【０１３９】
すなわち、本第５の実施の形態では、表示部１０４の中央付近が現在地となるように現在地周辺地図を表示し、入力部１０６のマトリクス状に配列したキーの中央に配置されたキーを現在地に見立て、表示部１０４に表示された現在地周辺地図上での現在地から目的地への方向と同方向にあるキーを発光させることで、目的地への進行方向をユーザにわかりやすく表示している。
【０１４０】
以上説明したように、本発明の第５の実施の形態においては、携帯電話１００はＧＰＳ信号を利用した現在地検出機能を備えた構成であり、現在地から目的地までのナビゲーションをする際に、進行方向に相当するキーを発光させることで進行方向をわかりやすく表示することができる。
【０１４１】
なお、表示部１０４に表示された現在地周辺地図の中央付近に現在地がない場合には、表示された現在地周辺地図とマトリクス上に配列したキーとを関連付け、目的地の位置に相当するキーを発光するように構成してもかまわない。
【０１４２】
（第６の実施の形態）
次に、図２１、図２２を用いて、本発明の第６の実施の形態について説明する。
【０１４３】
本第６の実施の形態が第５の実施の形態と異なる点は、表示部１０４に表示された現在地周辺地図上に目的地が含まれているかどうかで、目的地への進行方向を示すための入力部１０６のキーの発光を変えた点である。このように、本第６の実施の形態は、第５の実施の形態と表示の形態が異なるだけで、それ以外のブロック構成やフローチャート等は、第５の実施の形態と同様である。
【０１４４】
図２１（ａ）、（ｂ）は、本発明の第６の実施の形態における携帯電話１００の入力部１０６に目的地方向を表示した例を示した図である。図２１（ａ）では、現在地と目的地とが同時に表示される縮尺で現在地周辺地図を表示しており、図２０に示した例と同様、進行方向に相当するキーを発光させて目的地への進行方向を表示している。一方、図２１（ｂ）では現在地付近を拡大した現在地周辺地図を表示しており、表示された現在地周辺地図の範囲外に目的地がある。そのため、表示部１０４には目的地が表示されていない。したがって、進行方向を表示するためのキーの発光をやめている。
【０１４５】
すなわち、図２１に示した例では、表示部１０４に表示された現在地周辺地図の拡大表示等に伴い、地図上に目的地が表示されなくなった場合に、進行方向を表示するためのキーの発光をやめる構成としている。このような構成とすることで、進行方向を表示するためのキーが発光しているかどうかを見るだけで、表示部１０４に表示された現在地周辺地図上に目的地が表示されているのか、それとも表示部１０４に表示された現在地周辺地図の範囲外に目的地があるのかが一目でわかるようになる。したがって、表示部１０４に表示された現在地周辺地図をどこまで縮小すれば現在地と目的地とを同時に表示できるのかが一目でわかるようになり、現在地周辺地図の縮尺を決定する際の目安をつけやすくなる。
【０１４６】
図２２（ａ）、（ｂ）は、本発明の第６の実施の形態における携帯電話１００の入力部１０６に目的地方向を表示した別の例を示した図である。図２２（ａ）では、現在地と目的地とが同時に表示される縮尺で現在地周辺地図を表示しており、図２０に示した例と同様、進行方向に相当するキーを発光させて目的地への進行方向を表示している。このとき、キーの発光色は黄色である。一方、図２２（ｂ）では、現在地付近を拡大した現在地周辺地図を表示しており、表示部１０４に表示された現在地周辺地図の範囲外に目的地がある。そのため、表示部１０４には目的地が表示されていない。そこで、目的地への進行方向を表示するためのキーを、図２２（ａ）でのキーの発光色とは異なる発光色である赤色で発光させている。
【０１４７】
すなわち、図２２に示した例では、表示部１０４に表示された現在地周辺地図に目的地が表示されている場合と、現在地周辺地図の範囲外に目的地があり表示部１０４には目的地が表示されていない場合とで、進行方向を表示するためのキーの発光色を変える構成としている。このような構成とすることで、進行方向を表示するためのキーの発光色を見るだけで、表示部１０４に表示された現在地周辺地図上に目的地が表示されているのか、それとも表示部１０４に表示された現在地周辺地図の範囲外に目的地があるのかがすぐにわかるようになる。したがって、表示部１０４に表示された現在地周辺地図をどこまで縮小すれば現在地と目的地とを同時に表示できるのかが一目でわかるようになり、現在地周辺地図の縮尺を決定する際の目安をつけやすくなる。さらに、発光色は異なっても進行方向を示すキーは常に発光しているので、表示部１０４に表示された現在地周辺地図上に目的地が表示されているかどうかにかかわらず、目的地への進行方向が一目でわかる。
【０１４８】
以上説明したように、本発明の第６の実施の形態においては、表示部１０４に表示された現在地周辺地図上に目的地がある場合と、表示された現在地周辺地図の範囲外に目的地がある場合とで、目的地への進行方向を示すためのキーの発光を変えて、現在地周辺地図の縮尺を決定する際の目安をつけやすくすることができる。また、現在地周辺地図上に目的地が表示されているかどうかにかかわらず、目的地への進行方向が一目でわかるようにすることもできる。
【０１４９】
なお、図２２で示した黄色、赤色といったキーの発光色は実施の形態の一例を示したに過ぎず、異なる発光色であればどのような発光色の組み合わせであってもかまわない。また、異なる発光輝度や異なる点滅パターンでの発光の組み合わせ等であってもよい。
【０１５０】
（第７の実施の形態）
次に、図２３を用いて、本発明の第７の実施の形態について説明する。
【０１５１】
本第７の実施の形態が第５の実施の形態と異なる点は、現在地から目的地までの距離に応じて、目的地への進行方向を示すために発光させるキーの数を変えた点である。このように、本第７の実施の形態は、第５の実施の形態と表示の形態が異なるだけで、それ以外のブロック構成やフローチャート等は、第５の実施の形態と同様である。
【０１５２】
図２３（ａ）、（ｂ）は、本発明の第７の実施の形態における携帯電話１００の入力部１０６に目的地方向を表示した例を示した図である。図２３（ａ）では、現在地と目的地とが同時に表示される縮尺で現在地周辺地図を表示しており、図２０に示した例と同様、入力部１０６の任意のキーを発光させて目的地への進行方向を表示している。このとき、現在地から目的地まで約５ｋｍの距離（図示せず）があり、したがって、目的地への進行方向を表示するために発光させているキーの数は１つにしている。一方、図２３（ｂ）は、図２３（ａ）を拡大した現在地周辺地図であり、移動によって目的地まで約２００ｍの距離（図示せず）まで近づいている。したがって、目的地への進行方向を表示するために発光させているキーの数を３つにしている。
【０１５３】
このように、本第７の実施の形態では、現在地から目的地までの距離に応じて、目的地への進行方向を示すために発光させるキーの数を変える構成としている。例えば、図２３（ａ）に示したように現在地から目的地までの距離が遠ければ進行方向を示すために発光させるキーの数を少なくし、図２３（ｂ）に示したように現在地から目的地までの距離が近ければ進行方向を示すために発光させるキーの数を多くする。
【０１５４】
このような構成とすることで、発光したキーの位置と発光したキーの数を見るだけで、目的地への進行方向および目的地までのおおよその距離がわかるようになる。
【０１５５】
以上説明したように、本発明の第７の実施の形態においては、現在地から目的地までのナビゲーションをする際に、現在地から目的地までの距離に応じて、発光させるキーの数を変えることで、目的地への進行方向と目的地までの大まかな距離をわかりやすく表示することができる。
【０１５６】
なお、上述した現在地から目的地までの距離と発光させるキーの数と組み合わせは一実施の形態を示したに過ぎず、任意に設定することができる。また、目的地までの距離に応じて発光色や発光輝度または点滅パターンを変えて発光パターンを様々に組み合わせてもよい。また、目的地付近に到達したとき、例えば、全てのキーを発光させたり、または特定の点滅パターンでキーを発光させる等、発光のパターンを変えることで目的地付近に到達したことを一目でわかるように表示させてもよい。
【０１５７】
（第８の実施の形態）
次に、図２４、図２５を用いて、本発明の第８の実施の形態について説明する。
【０１５８】
図２４は、本発明の第８の実施の形態における携帯電話１００のブロック図であり、図２に示したブロック図に、ＶＩＣＳ（道路交通情報通信システム）信号受信アンテナ１３４、道路交通情報検出部１３５を加えた構成としている。図２４において、ＶＩＣＳ信号受信アンテナ１３４はＦＭ多重等によって送信されるＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）信号を受信し、道路交通情報検出部１３５は受信したＶＩＣＳ信号から渋滞情報や事故情報等の道路交通情報を検出する。また、それ以外のブロック構成やフローチャート等は第５の実施の形態に示した例と同様の構成であり、同様の動作を行う。
【０１５９】
図２５（ａ）、（ｂ）は、本発明の第８の実施の形態における携帯電話１００の入力部１０６に道路交通情報を表示した例を示した図である。図２５（ａ）では、表示部１０４の中央付近が現在地となるように現在地周辺地図を表示し、入力部１０６のマトリクス状に配列したキーの中央に配置されたキーを現在地に見立て、表示された現在地周辺地図上で交通渋滞が発生している方向（図中左上方向）と同方向にあるキーを発光させることで、交通渋滞情報をユーザにわかりやすく表示している。また、図２４（ｂ）では、「渋滞している」道路の方向を示すキーを赤色で、「やや渋滞している」道路の方向を示すキーを黄色で発光している。このように、渋滞の度合いに応じてキーの発光色を変え、より詳しい道路交通情報をユーザにわかりやすく表示している。
【０１６０】
すなわち、本第８の実施の形態においては、ＶＩＣＳ信号受信アンテナ１３４、道路交通情報検出部１３５を備えた構成とし、検出した道路交通情報に基づいてキーを発光させ渋滞した道路がある方向を入力部１０６に表示し、または渋滞の度合いに応じてキーの発光色を変える等して、検出した道路交通情報をわかりやすく表示することができる。
【０１６１】
なお、道路交通情報に代えて、例えば携帯電話やテレビ放送等の電波受信状態を表示する構成としてもよい。図２６（ａ）、（ｂ）は本発明の第８の実施の形態における携帯電話１００の入力部１０６に電波受信状態に関する情報を表示した例を示した図である。図２６（ａ）では、表示部１０４に表示された現在地周辺地図上でテレビ放送の電波受信状態が良好な場所（図中左方向）と同方向にあるキーを発光させることで、テレビ放送の電波状態をユーザにわかりやすく表示している。また、図２６（ｂ）では、電波状態良好な場所の方向を示すキーを青色で、電波状態が良くない場所の方向を示すキーを赤色で発光している。このように、電波状態に応じてキーの発光色を変え、より詳しい電波状態に関する情報をユーザにわかりやすく表示している。
【０１６２】
なお、図２５、図２６で示した黄色、赤色、青色といったキーの発光色は実施の形態の一例を示したに過ぎず、異なる発光色であればどのような発光色の組み合わせであってもかまわない。また、異なる発光輝度や異なる点滅パターンでの発光の組み合わせ等であってもよい。
【０１６３】
以上説明したように、本第８の実施の形態によれば、単に目的地への進行方向を表示するだけでなく、例えばＶＩＣＳ信号を受信する等して、入力部１０６に渋滞道路等の所定の周辺道路や周辺地域の方向を表示して、現在地周辺に関する情報をわかりやすく表示することが可能となる。
【０１６４】
なお、上述した実施の形態では、デジタルテレビ受信機能を備えた構成を説明したが、アナログテレビ受信機能であってもかまわない。また、第５から第８の実施の形態においては、テレビ受信機能を備えていなくともかまわない。また、テレビ受信中のチャンネル番号を表示する例を示したが、これ以外にも、例えば、バッテリー残量、通話時間、インターネット接続機能を備えている場合の接続時間、ラジオ受信機能を備えている場合のラジオのチャンネル番号、メモリカードへの書込み機能を備えている場合のメモリカードの残量、ＭＰ３やＭＰＥＧ等の音楽または映像のデータ再生機能を備えている場合の再生中のデータ番号（曲番号や映像のチャプター番号）や再生モード（例えば、１を標準再生、２を倍速再生、３を逆再生、４を一時停止として表示する）等、数字による表示が可能な情報であれば、本発明の第１の実施の形態による構成を用いて表示することができる。また、情報に含まれる数字に限らず、例えば情報をグループ分けし、それぞれのグループに数字を割り当て、その数字を表示することで、その情報が分類されたグループを表示することも可能である。
【０１６５】
また、第５から第８の実施の形態においては、マトリクス状に配列されたキーの構成を説明したが、キーの配置をマトリクス状に限定するものではなく、例えばキーを円状に配置する等、少なくとも４方向、望ましくは８方向以上を示すことができるようなキーの配置であればどのような構成であってもかまわない。また、表示部１０４の上部を常に北等の特定方角にした地図を表示してもよく、または電子コンパス等を搭載して常に表示部１０４の上部を進行方向にした地図を表示してもかまわない。また、電話機能を備えた構成を例にして説明したが、ＶＩＣＳ信号受信機能等の地図情報表示機能を備えた携帯端末情報装置であればよく、電話機能が無くともかまわない。
【産業上の利用可能性】
【０１６６】
本発明に係る携帯端末装置および表示方法、そのプログラムは、入力用のキーを用いて同時に複数の情報を表示することで、より多彩に情報を表示できるので、目的地方向等を含む複雑な地図情報をユーザにわかりやすく表示することができ、地図情報表示機能を備えた多機能型の携帯電話等の携帯端末装置およびその表示方法として有用である。
【図面の簡単な説明】
【０１６７】
【図１】本発明の第１の実施の形態におけるデジタルテレビ放送受信機能付き携帯電話の外観を示した図
【図２】同携帯電話のブロック図
【図３】同携帯電話が備える入力部とその周辺部を示すブロック図
【図４】同携帯電話の基本的な動作を示すフローチャート
【図５】同携帯電話のテレビ受信時にチャンネル番号を入力部に表示する動作を示すフローチャート
【図６】同携帯電話が備えた入力部の表示の一例を示した図
【図７】（ａ）は本発明の第２の実施の形態における携帯電話を示した図（ｂ）は各キーに割り当てられたチャンネルの電波状態および各キーの発光色をまとめた図
【図８】図７に示した携帯電話のブロック図
【図９】スキャン動作を示すフローチャート
【図１０】同携帯電話における受信チャンネルの電波状態の検出および発光部を発光制御する動作を示すフローチャート
【図１１】本発明の第３の実施の形態における携帯電話を示した図
【図１２】同携帯電話における「０」から「９」までの数字、および「＊」、「＃」の記号を入力部に表示した例を示した図
【図１３】同携帯電話の入力部にデータ再生の状態を示す記号を表示した例を示した図
【図１４】同携帯電話の入力部に「緊急」を表す記号の例を示した図
【図１５】同携帯電話の入力部に「Ａ」から「Ｆ」までのローマ字を表示した例を示した図
【図１６】本発明の第４の実施の形態における携帯電話を示した図
【図１７】同携帯電話の具体的な表示の例を示した図
【図１８】本発明の第５の実施の形態における携帯電話のブロック図
【図１９】同携帯電話のナビゲーションの動作を示すフローチャート
【図２０】同携帯電話の入力部に目的地方向を表示した例を示した図
【図２１】本発明の第６の実施の形態における携帯電話の入力部に目的地方向を表示した例を示した図
【図２２】同携帯電話の入力部に目的地方向を表示した別の例を示した図
【図２３】本発明の第７の実施の形態における携帯電話の入力部に目的地方向および目的地までのおおよその距離を表示した例を示した図
【図２４】本発明の第８の実施の形態における携帯電話のブロック図
【図２５】同携帯電話の入力部に道路渋滞情報を表示した例を示した図
【図２６】同携帯電話の入力部に電波受信状態に関する情報を表示した例を示した図
【符号の説明】
【０１６８】
１００    デジタルテレビ放送受信機能付き携帯電話
１０１    制御部
１０２    受信部
１０３    復号部
１０４    表示部
１０５    通話部
１０６    入力部
１０７    発光部
１０８    発光制御部
１０９    メモリ部
１１０    デジタルテレビ放送受信アンテナ
１１１    通話用アンテナ
１２１    入力受付部
１２２    情報検出部
１２３    主制御部
１３１    ＧＰＳ信号受信アンテナ
１３２    検出部
１３３    地図情報処理部
１３４    ＶＩＣＳ信号受信アンテナ
１３５    道路交通情報検出部
【図１】
2005136955.tif 000003
【図２】
2005136955.tif 000004
【図３】
2005136955.tif 000005
【図４】
2005136955.tif 000006
【図５】
2005136955.tif 000007
【図６】
2005136955.tif 000008
【図７】
2005136955.tif 000009
【図８】
2005136955.tif 000010
【図９】
2005136955.tif 000011
【図１０】
2005136955.tif 000012
【図１１】
2005136955.tif 000013
【図１２】
2005136955.tif 000014
【図１３】
2005136955.tif 000015
【図１４】
2005136955.tif 000016
【図１５】
2005136955.tif 000017
【図１６】
2005136955.tif 000018
【図１７】
2005136955.tif 000019
【図１８】
2005136955.tif 000020
【図１９】
2005136955.tif 000021
【図２０】
2005136955.tif 000022
【図２１】
2005136955.tif 000023
【図２２】
2005136955.tif 000024
【図２３】
2005136955.tif 000025
【図２４】
2005136955.tif 000026
【図２５】
2005136955.tif 000027
【図２６】
2005136955.tif 000028